(57)【特許請求の範囲】
【請求項１】
壁面等に固定された断面略Ｃ字形状のアングル材にスライド可能に嵌め込まれるスライド式ボルトにおいて、前記アングル材の開口溝から内側に嵌め込むことができる本体部と、この本体部に立設されたボルト部とを具備しており、前記本体部は、略平行四辺形状にされており、対辺のうち短い対辺を底辺とした状態での高さ寸法は前記アングル材の内側幅寸法より若干小さく設定され、略平行四辺形の鈍角部分には外側に飛び出した板バネ部が形成されており、対角の板バネ部の間の寸法は、外力が加えられていない状態では前記内側幅寸法より大きく、板バネ部が内側に撓んだ状態では前記内側幅寸法より小さくなっていることを特徴とするスライド式ボルト。
【請求項２】
前記開口溝は、アングル材の一側に長手方向に沿って形成されており、前記本体部を長い対辺を底面とした状態で前記アングル材の開口溝から内側に嵌め込み、短い対辺を底辺とするように回転させると、本体部の鈍角部分がアングル材の開口溝の上縁及び下縁から延出された前縁部に引っ掛かかることで本体部がアングル材の開口溝から抜けなくなるが、アングル材に沿ってスライド可能になっていることを特徴とする請求項１記載のスライド式ボルト。
【請求項３】
壁面等に固定される断面視略Ｃ字形状のアングル材と、このアングル材にスライド可能に嵌め込まれる請求項１又は２記載のスライド式ボルトと、このスライド式ボルトを介して前記アングル材に取り付けられる連結稈と、この連結稈に取り付けられ前記壁面等に対して略直交方向に突出するアームとを具備していることを特徴とする室外機用の据付台。
【請求項４】
前記アングル材は、上下２段に平行になっていることを特徴とする請求項３記載の室外機用の据付台。
【発明の詳細な説明】
【技術分野】
【０００１】
本発明は、例えばエアコンの室外機を壁面に据え付けるための据付台に使用されるスライド式ボルトと、それを用いた室外機用の据付台とに関する。
【背景技術】
【０００２】
エアコンの室外機は、据付台を利用して家屋の外壁面に取り付けられることがある。この際に使用される据付台は、家屋の外壁面Ｇに取り付けられるアングル材２００（図６参照）と、このアングル材２００にスライド可能に取り付けられるスライド式ボルト９００と、このスライド式ボルト９００に取り付けられてアングル材２００に取り付けられるベース材（図示省略）と、外壁面Ｇに対して略直角に突出した状態で前記ベース材に連結されて取り付けられる２本のアーム（図示省略）とを有している。
【０００３】
前記アングル材２００は、長手方向にスリット状の開口溝２１０が開設された断面が略Ｃ字形状となっている。従って、開口溝２１０の幅寸法はアングル材２００の幅寸法より小さくなっている。また、開口溝２１０が開設された面に対向する面である底面部２２０には、複数個の長孔２２１が等間隔で開設されている。この長孔２２１は、アングル材２００を外壁面Ｇに取り付ける際に使用される。
【０００４】
このアングル材２００の外壁面Ｇへの取り付けは、図６に示すように、雄ねじアンカー方法と、雌ねじアンカー方法とがある。雄ねじアンカー方法は、図６（Ｂ）に示すように外壁面Ｇに雄ねじ８００を埋め込んでおき、この雄ねじ８００を前記長孔２２１に貫通させ、ナット８１０でアングル材２００を固定する方法である。また、雌ねじアンカー方法は、図６（Ａ）に示すように、外壁面Ｇに雌ねじ（図示省略）を埋め込んでおき、前記長孔２１１を貫通させたボルト８２０で雌ねじと螺合させてアングル材２００を固定する方法である。
【０００５】
また、この種の室外機用の据付台として出願人は以前に特開平０８−００５１０２号を出願している。
【０００６】
【特許文献１】特開平０８−０００５１０２号公報
【発明の開示】
【発明が解決しようとする課題】
【０００７】
しかしなから、上述した雄ねじアンカー方式であると、図６（Ｂ）に示すように、雄ねじ８００がアングル材２００側に突出しているので、アングル材２００を外壁面Ｇに取り付けた後にスライド式ボルト９００をアングル材２００に取り付けることはできない。すなわち、アングル材２００を外壁面Ｇに取り付ける前にスライド式ボルト９００をアングル材２００に取り付けておく必要がある。ただし、図６（Ｂ）にはスライド式ボルト９００は示されていない。
【０００８】
また、雌ねじアンカー方式であると、図６（Ａ）に示すように、アングル材２００を外壁面Ｇに取り付けた後にスライド式ボルト９００をアングル材２００に取り付けることはできる。しかし、スライド式ボルト９００は、アングル材２００の端部から内側に挿入してスライドさせて所定の位置に設置しなければならない。外壁面Ｇに取り付けられたアングル材２００の端部が他の住宅設備、例えば雨樋等で塞がれていると、スライド式ボルト９００をアングル材２００に取り付けることができないので、やはりアングル材２００を外壁面Ｇに取り付ける前にスライド式ボルト９００をアングル材２００に取り付けておく必要がある。
【０００９】
本発明は、上記事情に鑑みて創案されたもので、先にアングル材を外壁面等の壁面に取り付けていても確実にスライド式ボルトをアングル材に取り付けることができるスライド式ボルトと、それも用いた室外機用の据付台とを提供することを目的としている。
【課題を解決するための手段】
【００１０】
本発明に係るスライド式ボルトは、壁面等に固定された断面略Ｃ字形状のアングル材にスライド可能に嵌め込まれるスライド式ボルトであって、前記アングル材の開口溝から内側に嵌め込むことができる本体部と、この本体部に立設されたボルト部とを備えており、前記本体部は、略平行四辺形状にされており、対辺のうち短い対辺を底辺とした状態での高さ寸法は前記アングル材の内側幅寸法より若干小さく設定され、略平行四辺形の鈍角部分には外側に飛び出した板バネ部が形成されており、対角の板バネ部の間の寸法は、外力が加えられていない状態では前記内側幅寸法より大きく、板バネ部が内側に撓んだ状態では前記内側幅寸法より小さくなる。
【００１１】
また、本発明に係る室外機用の据付台は、壁面等に固定される断面視略Ｃ字形状のアングル材と、このアングル材にスライド可能に嵌め込まれる前記スライド式ボルトと、このスライド式ボルトを介して前記アングル材に取り付けられる連結稈と、この連結稈に取り付けられ前記壁面等に対して略直交方向に突出するアームとを備えている。
【発明の効果】
【００１２】
本発明に係るスライド式ボルトは、アングル材の開口溝を介して手前側からアングル材に容易に取り付けることができるので、アングル材を取り付ける方式が雄ねじアンカー方式でも雌ねじアンカー方式でも対応することができる。
【図面の簡単な説明】
【００１３】
【図１】本発明の実施の形態に係るスライド式ボルトの概略的斜視図である。
【図２】本発明の実施の形態に係るスライド式ボルトの図面であって、同図（Ａ）は概略的正面図、同図（Ｂ）は概略的側面図である。
【図３】本発明の実施の形態に係るスライド式ボルトを構成する本体部の図面であって、同図（Ａ）は概略的正面図、同図（Ｂ）は概略的側面図、同図（Ｃ）は概略的平面図である。
【図４】本発明の実施の形態に係るスライド式ボルトのアングル材への取付手段を示す概略的正面図である。
【図５】本発明の実施の形態に係るスライド式ボルトを用いた室外機用の据付台の概略的分解斜視図である。
【図６】従来のアングル材の取付方とその問題点を説明する概略的説明図である。
【発明を実施するための形態】
【００１４】
本発明の実施の形態に係るスライド式ボルト１００は、外壁面に固定された断面略Ｃ字形状のアングル材２００にスライド可能に嵌め込まれるスライド式ボルトであって、前記アングル材２００の開口溝２１０から内側に嵌め込むことができる本体部１１０と、この本体部１１０に立設されたボルト部１２０とを備えており、前記本体部１１０は、略平行四辺形状にされており、対辺のうち短い対辺１１１Ｓを底辺とした状態での高さ寸法Ｈ１（図３（Ａ）参照）は前記アングル材２００の内側幅寸法Ｗ（図４（Ａ）参照）より若干小さく設定され、略平行四辺形の鈍角部分には外側に飛び出した板バネ部１１３が形成されており、対角の板バネ部１１３の間の寸法Ｈ２（図３（Ａ）参照）は、外力が加えられていない状態では前記内側幅寸法Ｗより大きく、板バネ部１１３が内側に撓んだ状態では前記内側幅寸法Ｗより小さくなっている。
【００１５】
本発明の実施の形態に係るスライド式ボルト１００の説明の前に、このスライド式ボルト１００が取り付けられるアングル材２００について説明する。
このアングル材２００は、従来の室外機用の据付台に使用されるものと同等であり、図５や図６に示すように、開口溝２１０が開設された一面と対向する面である底面部２２０が平坦になった断面略Ｃ字形状に形成されている。なお、アングル材２００の底面部２２０を平坦にするのは、その底面部２２０が外壁面に接する部分だからである。
また、前記開口溝２１０の上縁及び下縁からは前縁部２３０が延出されることで、アングル材２００は断面略Ｃ字形状になっている。
【００１６】
また、このアングル材２００は、前記底面部２２０に等間隔で複数の長孔２２１が開設されている。アングル材２００は、この長孔２２１を利用して外壁面に取り付けられる。なお、アングル材２００を外壁面に取り付けるのは、雄ねじアンカー方式と雌ねじアンカー方式とのいずれであってもかまわない。
なお、このアングル材２００の内側幅寸法Ｗとは、図４（Ａ）に示すように、外壁面に接する面である底面部２２０と開口溝２１０が開設された面以外の二面である側面部２４０の間の寸法を指すものとする。
【００１７】
このアングル材２００は、エアコンの室外機を外壁面に取り付けるための据置台１０００の一部を構成している。かかる据置台１０００は、家屋の外壁面に上下二段に平行に取り付けられる２本のアングル材２００と、この２本のアングル材２００に取り付けられる４つのスライド式ボルト１００と、このスライド式ボルト１００に取り付けられて２本のアングル材２００を連結する２つの連結稈３００と、外壁面に対して略直角に突出した状態で前記連結稈３００に連結されて取り付けられる２本のアーム４００とを有している。
【００１８】
前記据付台１０００に使用される本発明の実施の形態に係るスライド式ボルト１００は、上述したように本体部１１０と、この本体部１１０に立設されたボルト部１２０とから構成されている。
前記本体部１１０は、鋼板を折曲形成したものであり、略平行四辺形の中央片１１１と、この中央片１１１の各辺から直交方向に折曲された２種類４つの折曲片１１２とが一体に形成されている。
【００１９】
前記中央片１１１の中央部、すなわち本体部１１０の中央部には、後述するボルト部１２０の軸部１２１が貫通する貫通孔１１１Ａが開設されている。また、この貫通孔１１１Ａの周囲には１２０度間隔で３つの凹部１１１Ｂが形成されている。この凹部１１１Ｂが形成されるため、中央片１１１の裏面側には貫通孔１１１Ａの周囲に３つの凸部１１１Ｃが形成される。この凸部１１１Ｃは、ボルト部１２０の六角形の頭部１２３（図５参照）の外周に当接してボルト部１２０の空回りを防ぐよう機能を発揮する。
【００２０】
また、前記折曲片１１２は、中央片１１１の長い対辺１１１Ｌから折曲される長折曲片１１２Ａ、短い対辺１１１Ｓから折曲される短折曲片１１２Ｂとがある。
長折曲片１１１Ａの方が短折曲片１１１Ｂより幅狭に設定されている。
短折曲片１１２Ｂの幅寸法は、スライド式ボルト１００をアングル材２００に嵌め込むと、短折曲片１１２Ｂはアングル材２００の底面部２２０に、中央片１１１はアングル材２００の前縁部２３０の裏面にそれぞれ接触するように設定されている。一方、長折曲片１１２Ａは、アングル材２００の底面部２２０には接触しないように設定されている。短折曲片１１１Ｂのみならず長折曲片１１２Ａまで底面部２２０に接触して、スライド式ボルト１００のアングル材２００内でのスムーズなスライドが阻害されないようにするためである。
【００２１】
本体部１１０の一対の鈍角部分には、それぞれ板バネ１１３が設けられている。この板バネ１１３は、前記長折曲片１１１Ｌから延設されたものであって、その先端部分１１３Ａは前記短折曲片１１２Ｂより若干外側に突出している。
【００２２】
また、前記本体部１１０は、対辺のうち短い対辺１１１Ｓを底辺とした状態（図３（Ａ）に示す状態）での高さ寸法Ｈ１は前記アングル材２００の内側幅寸法Ｗより若干小さく設定されている。さらに、前記一対の板バネ部１１３の間の寸法Ｈ２は、外力が加えられていない状態では前記内側幅寸法Ｗより大きく、板バネ部１１３が内側に撓んだ状態では前記内側幅寸法Ｗより小さくなる。
【００２３】
このように構成された本体部１１０にボルト部１２０が取り付けられてスライド式ボルト１００となる。ボルト部１２０は、本体部１１０の貫通孔１１１Ｂに裏面側から軸部１２１が挿入され、ボルト部１２０の頭部１２３が前記凸部１１１Ｃに当接させられる。なお、ボルト部１２０は、本体部１１０に軸部１２１が挿入された状態で、さらにナット部１２２を螺合させることで本体部１１０に固定される。
これで本体部１１０にボルト部１２０が立設したスライド式ボルト１００となる。
なお、ボルト部１２０の本体部１１０への固定は、ナット部１２２による固定以外の固定方法、例えば溶接等であってもかまわない。
【００２４】
次に、上述したスライド式ボルト１００のアングル材２００への取付手順について説明する。なお、アングル材２００は、開口溝２１０を手前側にした状態で予め外壁面に取り付けられているものとする。アングル材２００は、図４においては雄ねじアンカー方式で取り付けられているが、雌ねじアンカー方式で取り付けられていても特に問題はない。
【００２５】
図４（Ａ）に示すように、アングル材２００の開口溝２１０を介してスライド式ボルト１００を手前側から内側に嵌め込む。この際、長い対辺１１１Ｌが底面となるようにし、ボルト部１２０の軸部１２１が開口溝２１０から飛び出すようにしておく。
この状態にあるスライド式ボルト１００はアングル材２００の内側で自由にスライドさせることができる。
【００２６】
図４（Ｂ）に示すように、鈍角部分の板バネ部１１３をアングル材２００の側面部２４０の内側面に接触せさつつ回動させる。この回動の際、板バネ部１１３はアングル材２００から外力を与えられ、内側に撓むので、回動には抵抗が生ずるが阻害されることはない。これは、板バネ部１１３の長い対辺１１１Ｌの長折曲片１１２Ａから延設されており、板バネ部１１３の先端が短折曲片１１２Ｂ側に位置しているためである。
【００２７】
回動が完了したスライド式ボルト１００は、図４（Ｃ）に示すように、短い対辺１１１Ｓを底辺とした状態となっている。短い対辺１１１Ｓを底辺とした状態でのスライド式ボルト１００の高さ寸法Ｈ１は、前記アングル材２００の内側幅寸法Ｗより若干小さく設定されているので、この状態にあるスライド式ボルト１００は本体部１１０の鈍角部分がアングル材２００の開口溝２１０の上縁及び下縁から延出された前縁部２３０に引っ掛かかるので、アングル材２００の開口溝２１０の手前側から取り外すことはできない。しかも、この状態にあるスライド式ボルト１００は、アングル材２００の内側で自由にスライドさせることができる。
【００２８】
この状態にあるスライド式ボルト１００を取り外すには、スライド式ボルト１００を長い対辺１１１Ｌが底面となるように回動させる。すなわち、図４（Ａ）に示す状態に復帰させる。ただし、この回動は鈍角部分に板バネ部１１３があるので、スムーズにはいかない。これは、板バネ部１１３の長い対辺１１１Ｌの長折曲片１１２Ａから延設されており、板バネ部１１３の先端部分１１３Ａが短折曲片１１２Ｂ側に位置しているためである。すなわち、スライド式ボルト１００を回動させようとすると、板バネ部１１３の先端部分１１３Ａがアングル材２００の側面部２４０の内側面に食い込んで、回動しにくいためである。
しかし、一定以上の力を加えると板バネ部１１３が内側に撓んで、板バネ部１１３の間の寸法Ｈ２が、前記内側幅寸法Ｗより小さくなるので、スライド式ボルト１００は回動させることができるようになる。
【００２９】
次に、上述したスライド式ボルト１００を用いた室外機用の据付台１０００について、図５等を参照しつつ説明する。
この室外機用の据付台１０００は、外壁面に固定される断面視略Ｃ字形状のアングル材２００と、このアングル材２００にスライド可能に嵌め込まれるスライド式ボルト１００と、このスライド式ボルト１００を介して前記アングル材２００に取り付けられる連結稈３００と、この連結稈３００に取り付けられ前記外壁面に対して略直交方向に突出するアーム４００とを備えている。
【００３０】
この室外機用の据付台１０００におけるアングル材２００は、上下二段に平行に外壁面に取り付けられる。なお、このアングル材２００は、上述したものと同等なものなので、その詳細なる説明は省略する。
【００３１】
前記連結稈３００は、図５に示すように、上下二段に平行になったアングル材２００を連結するとともに、アーム４００が取り付けられる部分である。かかる連結稈３００は、四角柱の一面が開放された形状になっており、開放された面と対向する面３１０には、スライド式ボルト１００のボルト部１２０の軸部１２１に対応した２つの連結稈側開口３１１が開設されている。また、両側面３２０にはアーム４００を取り付けるためのアーム取付用孔３２１が開設されている。
【００３２】
前記アーム４００は、図５に示すように、一枚の鋼板を折曲形成したものであり、上面４１０が平坦になり、その上面４１０から側面視略長い三角形状の側面４２０が延設されている。上面４１０には２個の長孔４１１が開設されている。この長孔４１１は、据え付けられる室外機との間に介在される絶縁ゴム４３０を固定する部分である。また、前記側面４２０の基端側には、前記連結稈３００のアーム取付用孔３２１に対応した２つのアーム側開口４２１が開設されている。なお、このアーム４００の先端には、軟質性素材からなる保護キャップ４４０が取り付けられる。
【００３３】
上述した部品から構成される室外機用の据付台１０００の組立手順について説明する。
２つのアングル材２００を上下二段に平行にして外壁部に取り付ける。１つのアングル材２００に２つのスライド式ボルト１００を上述した手順で取り付ける。これらのスライド式ボルト１００の取付位置は、室外機を支持すべきアーム４００の位置に応じて決定される。
【００３４】
前記上下二段のアングル材２００に取り付けられたスライド式ボルト１００のボルト部１２０の軸部１２１を連結稈３００の連結稈側開口３１１に挿入し、ナット１５０で固定する。これで、２つの連結稈３００が上下二段のアングル材２００を連結した状態で取り付けられる。
連結稈３００の基端側のアーム取付孔３１１と、アーム４００のアーム側開口４２１とを一致させ、ボルト４５０及びナット４５１でアーム４００を連結稈３００に取り付ける。
【００３５】
なお、上述した実施の形態では、スライド式ボルト１００は室外機用の据付台１０００に使用されるとして説明したが、これに限定されるものでないことはいうまでもない。
【００３６】
また、この室外機用の据付台１０００は外壁面に取り付けられるものゆえ、アングル材２００も外壁面に取り付けられるとしたが、薄型ディスプレイ等のように室内に取り付けられるものに適用する場合にはアングル材２００は内壁面に取り付けられるものであることはいうまでもない。
【符号の説明】
【００３７】
１００    スライド式ボルト
１１０    本体部
１１１Ｓ  短い対辺
１１１Ｌ  長い対辺
１１３    板バネ部
１２０    ボルト部
２００    アングル材
２１０    開口溝
【図１】
0006267076.tif 000002
【図２】
0006267076.tif 000003
【図３】
0006267076.tif 000004
【図４】
0006267076.tif 000005
【図５】
0006267076.tif 000006
【図６】
0006267076.tif 000007